(57)【要約】【課題】  マルチメディアデータとを一括して管理するようにした際に、著作者の権利が守られるようにする。【解決手段】  入力したファイルの属性情報に含まれる情報、又は入力するソースの記憶媒体の種類を判別し、情報記憶部に記憶するか否かを判定する。著作権の問題が生じないファイルは、そのファイル自体を内部の情報記憶部に保存してファイルの管理を行い、著作権の問題が生じる可能性のあるファイルは、リンク情報を情報管理データベースに記載し、ファイル自体を保存しないようにする。読み出し時には、情報管理テーブルを読み込み、そのファイルが内部の情報記憶部に保存されている場合には、保存されているファイルを読み出し、そのファイルが保存されていない場合には、リンク先をアクセスして、リンク先のファイルを読み出す。【選択図】        図８
2006079566.tif 000002
【特許請求の範囲】
【請求項１】
静止画像、音声、ビデオ等のマルチメディアデータファイルを入力し情報記憶部に記憶する情報管理装置であって、
前記マルチメディアデータファイルを入力する入力手段と、
前記入力手段で入力したマルチメディアデータファイルからファイルの属性情報を抽出するファイル情報抽出手段と、
前記ファイル情報抽出したファイルの属性情報に含まれる情報に応じて、前記マルチメディアデータファイルを前記情報記憶部に記憶するか否かを判定するファイル記憶判定手段と、
前記ファイル記憶判定手段が前記マルチメディアデータファイルを記憶すると判定した場合には、前記マルチメディアデータファイルとそのマルチメディアデータのインデックス情報を前記情報記憶部に記憶し、前記マルチメディアデータファイルを記憶しないと判定した場合には、前記マルチメディアデータファイルが存在する記憶媒体のアドレス情報とそのマルチメディアデータのインデックス情報を前記情報記憶部に記憶する情報記憶手段とを有する
ことを特徴とする情報管理装置。
【請求項２】
前記ファイル情報抽出手段は、前記マルチメディアデータファイルの著作権管理情報を特定する著作権管理情報特定手段を更に有し、
前記著作権管理情報特定手段が特定した管理情報が複製を禁じていることを示している場合には、前記記憶判定手段が前記マルチメディアデータファイルを記憶しないと判定することを特徴とする請求項１に記載の情報管理装置。
【請求項３】
静止画像、音声、ビデオ等のマルチメディアデータファイルを入力し情報記憶部に記憶する情報管理装置であって、
前記マルチメディアデータファイルを入力する入力手段と、
前記入力手段で入力する前記マルチメディアデータファイルが記憶されている記憶媒体の種類を判別する媒体情報抽出手段と、
前記媒体情報抽出手段が判別した記憶媒体の属性情報に応じて、前記マルチメディアデータファイルを前記情報記憶部に記憶するか否かを判定する第２のファイル記憶判定手段と、
前記第２の記憶判定手段が前記マルチメディアデータファイルを記憶すると判定した場合には、前記マルチメディアデータファイルとそのマルチメディアデータのインデックス情報を前記情報記憶部に記憶し、前記マルチメディアデータファイルを記憶しないと判定した場合には、前記マルチメディアデータファイルが存在する記憶媒体のアドレス情報とそのマルチメディアデータのインデックス情報を前記情報記憶部に記憶する情報記憶手段とを有する
ことを特徴とする情報管理装置。
【請求項４】
前記媒体情報抽出手段は、前記マルチメディアデータファイルを記憶した記憶媒体の著作権管理情報を特定する第２の著作権管理情報特定手段を更に有し、
前記第２の著作管理情報特定手段が特定した管理情報が複製を禁じていることを示している場合には、前記第２の記憶判定手段が前記マルチメディアデータファイルを記憶しないと判定することを特徴とする請求項３に記載の情報管理装置。
【請求項５】
前記媒体情報抽出手段は、前記マルチメディアデータファイルを記憶した記憶媒体の種類を特定する媒体種別特定手段を更に有し、
第２のファイル記憶判定手段は、前記記憶媒体種別特定手段が特定した媒体の種類に応じて、前記マルチメディアデータファイルを前記情報記憶部に記憶するか否かを判定することを特徴とする請求項４に記載の情報管理装置。
【請求項６】
前記情報記憶部に記億されたインデックス情報を選択する選択手段と、
選択されたインデックスに対応するマルチメディアデータファイルを前記情報記憶部から読み出すファイル読み出し手段と、
前記選択されたインデックスに対応するマルチメディアデータファイルが前記データベースに記憶されていない場合には、その選択されたインデックスに対応するアドレス情報を基に、オリジナルのマルチメディアデータファイルを取得するファイル取得手段と、
前記ファイル読み出し手段で前記情報記憶部から読み出したマルチメディアデータファイルと、
前記ファイル取得手段で取得したオリジナルのマルチメディアデータファイルとを出力する出力手段とを更に有することを特徴とする請求項１〜５に記載の情報管理装置。
【請求項７】
前記情報記憶手段が記憶する前記マルチメディアデータファイルに出力許可又は出力不許可のフラグを付与するフラグ付与手段と、
前記ファイル読み出し手段で読み出したマルチメディアデータファイルに付与されたフラグが出力不許可の場合又は前記ファイル取得手段が取得しようとする前記オリジナルのマルチメディアデータファイルの複製が禁止されている場合には、前記出力手段は当該マルチメディアデータファイルを出力しないことを特徴とする請求項６に記載の情報管理装置。
【請求項８】
静止画像、音声、ビデオ等のマルチメディアデータファイルを入力し情報記憶部に記憶する情報管理プログラムであって、
前記マルチメディアデータファイルを入力する入力ステップと、
前記入力ステップで入力したマルチメディアデータファイルからファイルの属性情報を抽出するファイル情報抽出ステップと、
前記ファイル情報抽出したファイルの属性情報に含まれる情報に応じて、前記マルチメディアデータファイルを前記情報記憶部に記憶するか否かを判定するファイル記憶判定ステップと、
前記ファイル記憶判定ステップが前記マルチメディアデータファイルを記憶すると判定した場合には、前記マルチメディアデータファイルとそのマルチメディアデータのインデックス情報を前記情報記憶部に記憶し、前記マルチメディアデータファイルを記憶しないと判定した場合には、前記マルチメディアデータファイルが存在する記憶媒体のアドレス情報とそのマルチメディアデータのインデックス情報を前記情報記憶部に記憶する情報記憶ステップとを有する
ことを特徴とする情報管理プログラム。
【請求項９】
前記ファイル情報抽出ステップは、前記マルチメディアデータファイルの著作権管理情報を特定する著作権管理情報特定ステップを更に有し、
前記著作権管理情報特定ステップが特定した管理情報が複製を禁じていることを示している場合には、前記記憶判定ステップが前記マルチメディアデータファイルを記憶しないと判定することを特徴とする請求項８に記載の情報管理プログラム。
【請求項１０】
静止画像、音声、ビデオ等のマルチメディアデータファイルを入力し情報記憶部に記憶する情報管理プログラムであって、
前記マルチメディアデータファイルを入力する入力ステップと、
前記入力ステップで入力する前記マルチメディアデータファイルが記憶されている記憶媒体の種類を判別する媒体情報抽出ステップと、
前記媒体情報抽出ステップが判別した記憶媒体の属性情報に応じて、前記マルチメディアデータファイルを前記情報記憶部に記憶するか否かを判定する第２のファイル記憶判定ステップと、
前記第２の記憶判定ステップが前記マルチメディアデータファイルを記憶すると判定した場合には、前記マルチメディアデータファイルとそのマルチメディアデータのインデックス情報を前記情報記憶部に記憶し、前記マルチメディアデータファイルを記憶しないと判定した場合には、前記マルチメディアデータファイルが存在する記憶媒体のアドレス情報とそのマルチメディアデータのインデックス情報を前記情報記憶部に記憶する情報記憶ステップとを有する
ことを特徴とする情報管理プログラム。
【請求項１１】
前記媒体情報抽出ステップは、前記マルチメディアデータファイルを記憶した記憶媒体の著作権管理情報を特定する第２の著作権管理情報特定ステップを更に有し、
前記第２の著作管理情報特定ステップが特定した管理情報が複製を禁じていることを示している場合には、前記第２の記憶判定ステップが前記マルチメディアデータファイルを記憶しないと判定することを特徴とする請求項１０に記載の情報管理プログラム。
【請求項１２】
前記媒体情報抽出ステップは、前記マルチメディアデータファイルを記憶した記憶媒体の種類を特定する媒体種別特定ステップを更に有し、
第２のファイル記憶判定ステップは、前記記憶媒体種別特定ステップが特定した媒体の種類に応じて、前記マルチメディアデータファイルを前記情報記憶部に記憶するか否かを判定することを特徴とする請求項１１に記載の情報管理プログラム。
【請求項１３】
前記情報記憶部に記億されたインデックス情報を選択する選択ステップと、
選択されたインデックスに対応するマルチメディアデータファイルを前記情報記憶部から読み出すファイル読み出しステップと、
前記選択されたインデックスに対応するマルチメディアデータファイルが前記データベースに記憶されていない場合には、その選択されたインデックスに対応するアドレス情報を基に、オリジナルのマルチメディアデータファイルを取得するファイル取得ステップと、
前記ファイル読み出しステップで前記情報記憶部から読み出したマルチメディアデータファイルと、
前記ファイル取得ステップで取得したオリジナルのマルチメディアデータファイルとを出力する出力ステップとを更に有することを特徴とする請求項８〜１２に記載の情報管理プログラム。
【請求項１４】
前記情報記憶ステップが記憶する前記マルチメディアデータファイルに出力許可又は出力不許可のフラグを付与するフラグ付与ステップと、
前記ファイル読み出しステップで読み出したマルチメディアデータファイルに付与されたフラグが出力不許可の場合又は前記ファイル取得ステップが取得しようとする前記オリジナルのマルチメディアデータファイルの複製が禁止されている場合には、前記出力ステップは当該マルチメディアデータファイルを出力しないことを特徴とする請求項１３に記載の情報管理プログラム。
【請求項１５】
静止画像、音声、ビデオ等のマルチメディアデータファイルを入力し情報記憶部に記憶する情報管理プログラムを記録したコンピュータ読み取り可能な記録媒体であって、
前記情報管理プログラムは、前記マルチメディアデータファイルを入力する入力ステップと、
前記入力ステップで入力したマルチメディアデータファイルからファイルの属性情報を抽出するファイル情報抽出ステップと、
前記ファイル情報抽出したファイルの属性情報に含まれる情報に応じて、前記マルチメディアデータファイルを前記情報記憶部に記憶するか否かを判定するファイル記憶判定ステップと、
前記ファイル記憶判定ステップが前記マルチメディアデータファイルを記憶すると判定した場合には、前記マルチメディアデータファイルとそのマルチメディアデータのインデックス情報を前記情報記憶部に記憶し、前記マルチメディアデータファイルを記憶しないと判定した場合には、前記マルチメディアデータファイルが存在する記憶媒体のアドレス情報とそのマルチメディアデータのインデックス情報を前記情報記憶部に記憶する情報記憶ステップとを有する
ことを特徴とする情報管理プログラムを記録したコンピュータ読み取り可能な記録媒体。
【請求項１６】
前記ファイル情報抽出ステップは、前記マルチメディアデータファイルの著作権管理情報を特定する著作権管理情報特定ステップを更に有し、
前記著作権管理情報特定ステップが特定した管理情報が複製を禁じていることを示している場合には、前記記憶判定ステップが前記マルチメディアデータファイルを記憶しないと判定することを特徴とする請求項１５に記載の情報管理プログラムを記録したコンピュータ読み取り可能な記録媒体。
【請求項１７】
静止画像、音声、ビデオ等のマルチメディアデータファイルを入力し情報記憶部に記憶する情報管理プログラムを記録したコンピュータ読み取り可能な記録媒体であって、
前記情報管理プログラムは、前記マルチメディアデータファイルを入力する入力ステップと、
前記入力ステップで入力する前記マルチメディアデータファイルが記憶されている記憶媒体の種類を判別する媒体情報抽出ステップと、
前記媒体情報抽出ステップが判別した記憶媒体の属性情報に応じて、前記マルチメディアデータファイルを前記情報記憶部に記憶するか否かを判定する第２のファイル記憶判定ステップと、
前記第２の記憶判定ステップが前記マルチメディアデータファイルを記憶すると判定した場合には、前記マルチメディアデータファイルとそのマルチメディアデータのインデックス情報を前記情報記憶部に記憶し、前記マルチメディアデータファイルを記憶しないと判定した場合には、前記マルチメディアデータファイルが存在する記憶媒体のアドレス情報とそのマルチメディアデータのインデックス情報を前記情報記憶部に記憶する情報記憶ステップとを有する
ことを特徴とする情報管理プログラムを記録したコンピュータ読み取り可能な記録媒体。
【請求項１８】
前記媒体情報抽出ステップは、前記マルチメディアデータファイルを記憶した記憶媒体の著作権管理情報を特定する第２の著作権管理情報特定ステップを更に有し、
前記第２の著作管理情報特定ステップが特定した管理情報が複製を禁じていることを示している場合には、前記第２の記憶判定ステップが前記マルチメディアデータファイルを記憶しないと判定することを特徴とする請求項１７に記載の情報管理プログラムを記録したコンピュータ読み取り可能な記録媒体。
【請求項１９】
前記媒体情報抽出ステップは、前記マルチメディアデータファイルを記憶した記憶媒体の種類を特定する媒体種別特定ステップを更に有し、
第２のファイル記憶判定ステップは、前記記憶媒体種別特定ステップが特定した媒体の種類に応じて、前記マルチメディアデータファイルを前記情報記憶部に記憶するか否かを判定することを特徴とする請求項１８に記載の情報管理プログラムを記録したコンピュータ読み取り可能な記録媒体。
【請求項２０】
前記情報記憶部に記億されたインデックス情報を選択する選択ステップと、
選択されたインデックスに対応するマルチメディアデータファイルを前記情報記憶部から読み出すファイル読み出しステップと、
前記選択されたインデックスに対応するマルチメディアデータファイルが前記データベースに記憶されていない場合には、その選択されたインデックスに対応するアドレス情報を基に、オリジナルのマルチメディアデータファイルを取得するファイル取得ステップと、
前記ファイル読み出しステップで前記情報記憶部から読み出したマルチメディアデータファイルと、
前記ファイル取得ステップで取得したオリジナルのマルチメディアデータファイルとを出力する出力ステップとを更に有することを特徴とする請求項１５〜１９に記載の情報管理プログラムを記録したコンピュータ読み取り可能な記録媒体。
【請求項２１】
前記情報記憶ステップが記憶する前記マルチメディアデータファイルに出力許可又は出力不許可のフラグを付与するフラグ付与ステップと、
前記ファイル読み出しステップで読み出したマルチメディアデータファイルに付与されたフラグが出力不許可の場合又は前記ファイル取得ステップが取得しようとする前記オリジナルのマルチメディアデータファイルの複製が禁止されている場合には、前記出力ステップは当該マルチメディアデータファイルを出力しないことを特徴とする請求項２０に記載の情報管理プログラムを記録したコンピュータ読み取り可能な記録媒体。
【発明の詳細な説明】
【技術分野】
【０００１】
本発明は、ディジタルカメラで撮影した画像ファイルや、インターネットで提供される各種のファイル、ＤＶＤ(Digital Versatile Disc)等で提供される各種のファイルを管理するのに使用される情報管理装置、情報管理プログラム、情報管理プログラムを記録したコンピュータ読み取り可能な記録媒体に関する。
【背景技術】
【０００２】
従来より、ディジタルカメラで撮影等した画像データを各ユーザのパーソナルコンピュータに転送して管理することが行われている。ディジタルカメラで撮影等した画像データを各ユーザのパーソナルコンピュータに転送すると、多数の画像データを一括して管理することができる。また、パーソナルコンピュータ上では、画像の編集が簡単に行える。また、パーソナルコンピュータに保存された画像データをＣＤ−Ｒ(Compact Disc Recordable)等の光ディスクにコピーし、長期にわたって保存することができる。更に、ハードプリントが必要な場合は、パーソナルコンピュータに接続されたプリンタで印刷することができる。
【０００３】
例えば、特許文献１には、画像データをパーソナルコンピュータに集めて、電子アルバムを構成することが記載されている。
【０００４】
また、パーソナルコンピュータに保存される画像としては、ユーザがディジタルカメラで撮影した画像データの他に、インターネット上で提供されている画像データや、ＤＶＤ等で提供されている画像データがある。ディジタルカメラで撮影した画像データをパーソナルコンピュータで管理する場合、インターネット上で提供されている画像データや、ＤＶＤ等で提供されている画像データについても、同様に管理できることが望まれる。
【特許文献１】特開２０００−２５９６５６号公報
【発明の開示】
【発明が解決しようとする課題】
【０００５】
ところが、インターネット上で提供されている画像データや、ＤＶＤ等で提供されている画像データは、ユーザがディジタルカメラで撮影した画像データと異なり、著作者の権利を守る必要がある。上述のように、画像データを各ユーザのパーソナルコンピュータに無制限に転送すると、パーソナルコンピュータに保存された画像データをＣＤ−Ｒ等の光ディスクにコピーして保存したり、プリンタで印刷したりすることができ、著作者の権利を守られなくなる可能性がある。
【０００６】
例えば、特許文献１に記載されている電子アルバムでは、画像データをリンクさせて、電子アルバムを作成することが記載されているが、特許文献１の例では、著作権に関して考慮されていない。
【０００７】
したがって、本発明は、上述の課題を鑑み、著作権を管理する必要のあるマルチメディアデータと、著作権を管理する必要のないマルチメディアデータとを一括して管理するようにした場合にも、著作者の権利が守られるようにした情報管理装置、情報管理プログラム、情報管理プログラムを記録したコンピュータ読み取り可能な記録媒体を提供することを目的とする。
【課題を解決するための手段】
【０００８】
請求項１の発明は、静止画像、音声、ビデオ等のマルチメディアデータファイルを入力し情報記憶部に記憶する情報管理装置であって、マルチメディアデータファイルを入力する入力手段と、入力手段で入力したマルチメディアデータファイルからファイルの属性情報を抽出するファイル情報抽出手段と、ファイル情報抽出したファイルの属性情報に含まれる情報に応じて、マルチメディアデータファイルを情報記憶部に記憶するか否かを判定するファイル記憶判定手段と、ファイル記憶判定手段がマルチメディアデータファイルを記憶すると判定した場合には、マルチメディアデータファイルとそのマルチメディアデータのインデックス情報を情報記憶部に記憶し、マルチメディアデータファイルを記憶しないと判定した場合には、マルチメディアデータファイルが存在する記憶媒体のアドレス情報とそのマルチメディアデータのインデックス情報を情報記憶部に記憶する情報記憶手段とを有することを特徴とする。
【０００９】
請求項２の発明は、請求項１の情報管理装置において、ファイル情報抽出手段は、マルチメディアデータファイルの著作権管理情報を特定する著作権管理情報特定手段を更に有し、著作権管理情報特定手段が特定した管理情報が複製を禁じていることを示している場合には、記憶判定手段がマルチメディアデータファイルを記憶しないと判定することを特徴とする。
【００１０】
請求項３の発明は、静止画像、音声、ビデオ等のマルチメディアデータファイルを入力し情報記憶部に記憶する情報管理装置であって、マルチメディアデータファイルを入力する入力手段と、入力手段で入力するマルチメディアデータファイルが記憶されている記憶媒体の種類を判別する媒体情報抽出手段と、媒体情報抽出手段が判別した記憶媒体の属性情報に応じて、マルチメディアデータファイルを情報記憶部に記憶するか否かを判定する第２のファイル記憶判定手段と、第２の記憶判定手段がマルチメディアデータファイルを記憶すると判定した場合には、マルチメディアデータファイルとそのマルチメディアデータのインデックス情報を情報記憶部に記憶し、マルチメディアデータファイルを記憶しないと判定した場合には、マルチメディアデータファイルが存在する記憶媒体のアドレス情報とそのマルチメディアデータのインデックス情報を情報記憶部に記憶する情報記憶手段とを有することを特徴とする。
【００１１】
請求項４の発明は、請求項３の情報管理装置において、媒体情報抽出手段は、マルチメディアデータファイルを記憶した記憶媒体の著作権管理情報を特定する第２の著作権管理情報特定手段を更に有し、第２の著作管理情報特定手段が特定した管理情報が複製を禁じていることを示している場合には、第２の記憶判定手段がマルチメディアデータファイルを記憶しないと判定することを特徴とする。
【００１２】
請求項５の発明は、請求項４の情報管理装置において、媒体情報抽出手段は、マルチメディアデータファイルを記憶した記憶媒体の種類を特定する媒体種別特定手段を更に有し、第２のファイル記憶判定手段は、記憶媒体種別特定手段が特定した媒体の種類に応じて、マルチメディアデータファイルを情報記憶部に記憶するか否かを判定することを特徴とする。
【００１３】
請求項６の発明は、請求項１〜５の情報管理装置において、情報記憶部に記億されたインデックス情報を選択する選択手段と、選択されたインデックスに対応するマルチメディアデータファイルを情報記憶部から読み出すファイル読み出し手段と、選択されたインデックスに対応するマルチメディアデータファイルがデータベースに記憶されていない場合には、その選択されたインデックスに対応するアドレス情報を基に、オリジナルのマルチメディアデータファイルを取得するファイル取得手段と、ファイル読み出し手段で情報記憶部から読み出したマルチメディアデータファイルと、ファイル取得手段で取得したオリジナルのマルチメディアデータファイルとを出力する出力手段とを更に有することを特徴とする。
【００１４】
請求項７の発明は、請求項６の情報管理装置において、情報記憶手段が記憶するマルチメディアデータファイルに出力許可又は出力不許可のフラグを付与するフラグ付与手段と、ファイル読み出し手段で読み出したマルチメディアデータファイルに付与されたフラグが出力不許可の場合又はファイル取得手段が取得しようとするオリジナルのマルチメディアデータファイルの複製が禁止されている場合には、出力手段は当該マルチメディアデータファイルを出力しないことを特徴とする。
【００１５】
請求項８の発明は、静止画像、音声、ビデオ等のマルチメディアデータファイルを入力し情報記憶部に記憶する情報管理プログラムであって、マルチメディアデータファイルを入力する入力ステップと、入力ステップで入力したマルチメディアデータファイルからファイルの属性情報を抽出するファイル情報抽出ステップと、ファイル情報抽出したファイルの属性情報に含まれる情報に応じて、マルチメディアデータファイルを情報記憶部に記憶するか否かを判定するファイル記憶判定ステップと、ファイル記憶判定ステップがマルチメディアデータファイルを記憶すると判定した場合には、マルチメディアデータファイルとそのマルチメディアデータのインデックス情報を情報記憶部に記憶し、マルチメディアデータファイルを記憶しないと判定した場合には、マルチメディアデータファイルが存在する記憶媒体のアドレス情報とそのマルチメディアデータのインデックス情報を情報記憶部に記憶する情報記憶ステップとを有することを特徴とする。
【００１６】
請求項９の発明は、請求項８の情報管理プログラムにおいて、ファイル情報抽出ステップは、マルチメディアデータファイルの著作権管理情報を特定する著作権管理情報特定ステップを更に有し、著作権管理情報特定ステップが特定した管理情報が複製を禁じていることを示している場合には、記憶判定ステップがマルチメディアデータファイルを記憶しないと判定することを特徴とする。
【００１７】
請求項１０の発明は、静止画像、音声、ビデオ等のマルチメディアデータファイルを入力し情報記憶部に記憶する情報管理プログラムであって、マルチメディアデータファイルを入力する入力ステップと、入力ステップで入力するマルチメディアデータファイルが記憶されている記憶媒体の種類を判別する媒体情報抽出ステップと、媒体情報抽出ステップが判別した記憶媒体の属性情報に応じて、マルチメディアデータファイルを情報記憶部に記憶するか否かを判定する第２のファイル記憶判定ステップと、第２の記憶判定ステップがマルチメディアデータファイルを記憶すると判定した場合には、マルチメディアデータファイルとそのマルチメディアデータのインデックス情報を情報記憶部に記憶し、マルチメディアデータファイルを記憶しないと判定した場合には、マルチメディアデータファイルが存在する記憶媒体のアドレス情報とそのマルチメディアデータのインデックス情報を情報記憶部に記憶する情報記憶ステップとを有することを特徴とする。
【００１８】
請求項１１の発明は、請求項１０の情報管理プログラムにおいて、媒体情報抽出ステップは、マルチメディアデータファイルを記憶した記憶媒体の著作権管理情報を特定する第２の著作権管理情報特定ステップを更に有し、第２の著作管理情報特定ステップが特定した管理情報が複製を禁じていることを示している場合には、第２の記憶判定ステップがマルチメディアデータファイルを記憶しないと判定することを特徴とする。
【００１９】
請求項１２の発明は、請求項１１の情報管理プログラムにおいて、媒体情報抽出ステップは、マルチメディアデータファイルを記憶した記憶媒体の種類を特定する媒体種別特定ステップを更に有し、第２のファイル記憶判定ステップは、記憶媒体種別特定ステップが特定した媒体の種類に応じて、マルチメディアデータファイルを情報記憶部に記憶するか否かを判定することを特徴とする。
【００２０】
請求項１３の発明は、請求項８〜１２の情報管理プログラムにおいて、情報記憶部に記億されたインデックス情報を選択する選択ステップと、選択されたインデックスに対応するマルチメディアデータファイルを情報記憶部から読み出すファイル読み出しステップと、選択されたインデックスに対応するマルチメディアデータファイルがデータベースに記憶されていない場合には、その選択されたインデックスに対応するアドレス情報を基に、オリジナルのマルチメディアデータファイルを取得するファイル取得ステップと、ファイル読み出しステップで情報記憶部から読み出したマルチメディアデータファイルと、ファイル取得ステップで取得したオリジナルのマルチメディアデータファイルとを出力する出力ステップとを更に有することを特徴とする。
【００２１】
請求項１４の発明は、請求項１３の情報管理プログラムにおいて、情報記憶ステップが記憶するマルチメディアデータファイルに出力許可又は出力不許可のフラグを付与するフラグ付与ステップと、ファイル読み出しステップで読み出したマルチメディアデータファイルに付与されたフラグが出力不許可の場合又はファイル取得ステップが取得しようとするオリジナルのマルチメディアデータファイルの複製が禁止されている場合には、出力ステップは当該マルチメディアデータファイルを出力しないことを特徴とする。
【００２２】
請求項１５の発明は、静止画像、音声、ビデオ等のマルチメディアデータファイルを入力し情報記憶部に記憶する情報管理プログラムを記録したコンピュータ読み取り可能な記録媒体であって、情報管理プログラムは、マルチメディアデータファイルを入力する入力ステップと、入力ステップで入力したマルチメディアデータファイルからファイルの属性情報を抽出するファイル情報抽出ステップと、ファイル情報抽出したファイルの属性情報に含まれる情報に応じて、マルチメディアデータファイルを情報記憶部に記憶するか否かを判定するファイル記憶判定ステップと、ファイル記憶判定ステップがマルチメディアデータファイルを記憶すると判定した場合には、マルチメディアデータファイルとそのマルチメディアデータのインデックス情報を情報記憶部に記憶し、マルチメディアデータファイルを記憶しないと判定した場合には、マルチメディアデータファイルが存在する記憶媒体のアドレス情報とそのマルチメディアデータのインデックス情報を情報記憶部に記憶する情報記憶ステップとを有することを特徴とする。
【００２３】
請求項１６の発明は、請求項１５の情報管理プログラムを記録したコンピュータ読み取り可能な記録媒体において、ファイル情報抽出ステップは、マルチメディアデータファイルの著作権管理情報を特定する著作権管理情報特定ステップを更に有し、著作権管理情報特定ステップが特定した管理情報が複製を禁じていることを示している場合には、記憶判定ステップがマルチメディアデータファイルを記憶しないと判定することを特徴とする。
【００２４】
請求項１７の発明は、静止画像、音声、ビデオ等のマルチメディアデータファイルを入力し情報記憶部に記憶する情報管理プログラムを記録したコンピュータ読み取り可能な記録媒体であって、情報管理プログラムは、マルチメディアデータファイルを入力する入力ステップと、入力ステップで入力するマルチメディアデータファイルが記憶されている記憶媒体の種類を判別する媒体情報抽出ステップと、媒体情報抽出ステップが判別した記憶媒体の属性情報に応じて、マルチメディアデータファイルを情報記憶部に記憶するか否かを判定する第２のファイル記憶判定ステップと、第２の記憶判定ステップがマルチメディアデータファイルを記憶すると判定した場合には、マルチメディアデータファイルとそのマルチメディアデータのインデックス情報を情報記憶部に記憶し、マルチメディアデータファイルを記憶しないと判定した場合には、マルチメディアデータファイルが存在する記憶媒体のアドレス情報とそのマルチメディアデータのインデックス情報を情報記憶部に記憶する情報記憶ステップとを有することを特徴とする。
【００２５】
請求項１８の発明は、請求項１７の情報管理プログラムを記録したコンピュータ読み取り可能な記録媒体において、媒体情報抽出ステップは、マルチメディアデータファイルを記憶した記憶媒体の著作権管理情報を特定する第２の著作権管理情報特定ステップを更に有し、第２の著作管理情報特定ステップが特定した管理情報が複製を禁じていることを示している場合には、第２の記憶判定ステップがマルチメディアデータファイルを記憶しないと判定することを特徴とする。
【００２６】
請求項１９の発明は、請求項１８の情報管理プログラムを記録したコンピュータ読み取り可能な記録媒体において、媒体情報抽出ステップは、マルチメディアデータファイルを記憶した記憶媒体の種類を特定する媒体種別特定ステップを更に有し、第２のファイル記憶判定ステップは、記憶媒体種別特定ステップが特定した媒体の種類に応じて、マルチメディアデータファイルを情報記憶部に記憶するか否かを判定することを特徴とする。
【００２７】
請求項２０の発明は、請求項１５〜２０の情報管理プログラムを記録したコンピュータ読み取り可能な記録媒体において、情報記憶部に記億されたインデックス情報を選択する選択ステップと、選択されたインデックスに対応するマルチメディアデータファイルを情報記憶部から読み出すファイル読み出しステップと、選択されたインデックスに対応するマルチメディアデータファイルがデータベースに記憶されていない場合には、その選択されたインデックスに対応するアドレス情報を基に、オリジナルのマルチメディアデータファイルを取得するファイル取得ステップと、ファイル読み出しステップで情報記憶部から読み出したマルチメディアデータファイルと、ファイル取得ステップで取得したオリジナルのマルチメディアデータファイルとを出力する出力ステップとを更に有することを特徴とする。
【００２８】
請求項２１の発明は、請求項２０の情報管理プログラムを記録したコンピュータ読み取り可能な記録媒体において、情報記憶ステップが記憶するマルチメディアデータファイルに出力許可又は出力不許可のフラグを付与するフラグ付与ステップと、ファイル読み出しステップで読み出したマルチメディアデータファイルに付与されたフラグが出力不許可の場合又はファイル取得ステップが取得しようとするオリジナルのマルチメディアデータファイルの複製が禁止されている場合には、出力ステップは当該マルチメディアデータファイルを出力しないことを特徴とする。
【発明の効果】
【００２９】
本発明によれば、入力したマルチメディアデータファイルからファイルの属性情報を抽出し、ファイルの属性情報に含まれる情報に応じて、マルチメディアデータファイルを情報記憶部に記憶するか否かを判定している。また、入力するマルチメディアデータファイルが記憶されている記憶媒体の種類を判別し、判別した記憶媒体の属性情報に応じて、マルチメディアデータファイルを情報記憶部に記憶するか否かを判定している。そして、ディジタルカメラで撮影した画像ファイルのように、著作権の問題が生じないファイルについては、そのファイル自体を内部の情報記憶部に保存してファイルの管理を行い、インターネットのウェブサーバや、ＤＶＤ等の光ディスクで提供されているコンテンツファイルのように、著作権の問題が生じる可能性のあるファイルについては、リンク情報だけを情報管理データベースに記載し、情報記憶部には、ファイル自体を保存しないようにしている。そして、著作権管理情報がある場合には、その著作権管理情報に基づいて、「印刷許可」、「コピー許可」、「オリジナル再生許可」等を示すコンテンツ出力フラグを設け、このコンテンツ出力するようにしている。読み出し時には、情報管理テーブルを読み込み、そのファイルが内部の情報記憶部に保存されている場合には、保存されているファイルを読み出し、そのファイルが保存されていない場合には、リンク先をアクセスして、リンク先のファイルを読み出す。これにより、著作権の保護を図ることができる。
【発明を実施するための最良の形態】
【００３０】
以下、本発明の実施形態について図面を参照しながら説明する。本発明は、ディジタルカメラ等で撮影した画像データを管理するのに用いて好適である。
【００３１】
図１は、本発明が適用されたデータ管理システムの構成を示すものである。図１において、１はデータ管理装置である。データ管理装置１としては、例えばパーソナルコンピュータが用いられる。また、データ管理装置１として、ＰＤＡ(Personal Digital Assistant)を用いるようにしても良い。
【００３２】
データ管理装置１は、ホームネットワーク２を介して、ホームサーバ４に接続可能とされている。ホームサーバ４には、静止画像、音声、ビデオ等のマルチメディアのコンテンツファイルが格納されている。また、データ管理装置１は、ホームネットワーク２、ゲートウェイ５を介して、インターネット６上のウェブサーバ７に接続可能とされている。
【００３３】
データ管理装置１には、ディジタルカメラ８で撮影した画像データを取り込むことができる。ディジタルカメラ８により撮影した画像データをデータ管理装置１に転送する場合には、例えばＵＳＢインターフェースを用いて、ディジタルカメラ８とデータ管理装置１とが接続される。そして、ディジタルカメラ８からデータ管理装置１に画像データが転送される。
【００３４】
なお、ディジタルカメラ８の画像データをデータ管理装置１に転送する方法は、ＵＳＢインターフェースに限るものではない。インターフェースとしては、ＩＥＥＥ(Institute of Electrical and Electronics Engineers)１３９４やＵＡＲＴ(Universal Asynchronous Receiver-Transmitter)を用いても良い。また、このような有線のインターフェースばかりでなく、BlueTooth (IEEE802.15.) （登録商標）のようなワイヤレスな接続手段を用いても良い。更に、例えば、データ管理装置１にメモリカードを記録／再生できるドライブを設け、ディジタルカメラ８からメモリカードを取り出し、このメモリカードをデータ管理装置１のドライブに装着し、データ管理装置１でメモリカードに保存されている画像データを直接読み取ることができる。
【００３５】
データ管理を行う場合には、データ管理装置１にインストールされている情報管理プログラムが起動される。この情報管理プログラムにより、データ管理装置１に保存された各種のコンテンツファイル（静止画像、音声、ビデオ等）を再生したり、コピーしたり、プリンタ９で印刷したりすることができる。
【００３６】
図２は、データ管理装置１の構成の一例を示すものである。データ管理装置１は、パーソナルコンピュータに、画像管理用のソフトウェアをインストールして構成される。
【００３７】
図２において、ＣＰＵ(Central Processing Unit)２１は、コマンドを解釈して実行を行っている。ＣＰＵ２１は、バス２２を介して、ＲＯＭ(Read Only Memory)５３、ＲＡＭ(Random Access Memory)２４に接続される。ＲＯＭ２３には、ＢＩＯＳ(Basic Input Output System)等のブートプログラムが記憶されている。ＲＡＭ２４は、作業領域として用いられる。
【００３８】
バス２２には、インターフェース２５を介して、ＨＤＤドライブ２６や、光ディスクドライブ２７が接続される。ＨＤＤドライブ２６には、オペレーティングシステムのプログラムや各種のアプリケーションのプログラムが記録されると共に、各種のデータが記録される。
【００３９】
また、バス２２には、画像表示部２８を介して、ディスプレイ２９が接続される。ディスプレイ２９としては、ＬＣＤ(Liquid Crystal Display)やＣＲＴ(Cathode-Ray Tube)が用いられる。また、バス２２には、オーディオ処理部３０を介して、スピーカ３１が接続される。また、バス２２には、通信インターフェース３２が接続される。通信インターフェース３２は、ＬＡＮ(Local Area Network)やインターネット等により通信を行うためのものである。
【００４０】
更に、バス２２には、汎用インターフェース３３が接続される。汎用インターフェース３３としては、例えば、ＵＳＢインターフェースが用いられる。汎用インターフェース３３には、キーボード３４やマウス３５等の入力装置が接続される。また、この汎用インターフェース３３は、ディジタルカメラ８から、画像データを取り込むのに使用される。更に、この汎用インターフェース３３は、メモリカードドライブや、プリンタ、その他、各種のデバイスを接続するのに利用できる。
【００４１】
図１において、データ管理装置１は、ディジタルカメラ８で撮影した画像データのファイルの他、ホームサーバ４や、インターネット６のウェブサーバ７、ＤＶＤ等の光ディスクで提供されている静止画像、音声、ビデオ等のマルチメディアファイルを管理できる。しかしながら、インターネット６のウェブサーバ７や、ＤＶＤ等の光ディスクで提供されている静止画像、音声、ビデオ等のコンテンツファイルには著作権があり、これらのファイルがデータ管理装置１でユーザが撮影した画像ファイルと同様に、コピーされたり、印刷されたりすると、著作権が侵害される。
【００４２】
そこで、本発明が適用された情報管理プログラムでは、ディジタルカメラ８で撮影した画像ファイルのように、著作権の問題が生じないファイルについては、そのファイル自体をデータ管理装置１のＨＤＤドライブ２６等の情報記憶部にしてファイルの管理を行い、インターネット６のウェブサーバ７や、ＤＶＤ等の光ディスクで提供されているコンテンツファイルのように、著作権の問題が生じる可能性のあるファイルについては、リンク情報だけを情報管理データベースに記載し、データ管理装置１にファイル自体を保存しないようにしている。また、著作権管理情報がある場合には、その著作権管理情報に基づいて、「印刷許可」、「コピー許可」、「オリジナル再生許可」等を示すコンテンツ出力フラグを設け、このコンテンツの出力を制御するようにしている。
【００４３】
つまり、データ管理装置１には、図３に示すような情報管理データベースが作成される。この情報管理データベースには、情報を識別するためのインデックスと、データ／リンク区分と、各ファイルの保存アドレスが記載される。上述のように、著作権の問題が生じないファイルについては、そのファイル自体がデータ管理装置１に保存される。この場合には、データ／リンク区分としてデータが記述され、保存アドレスとして、そのファイルへのパスが記載される。
【００４４】
これに対して、著作権の問題が生じる可能性のあるファイルについては、そのファイルはデータ管理装置１の情報記憶部に保存されない。この場合には、データ／リンク区分としてリンクが記述され、保存アドレスとして、そのコンテンツファイルへのリンク先（例えばＵＲＬ(Uniform Resource Locator)）が記載される。
【００４５】
また、この情報管理データベースには、印刷可能フラグ、コピー許可フラグ、オリジナル再生許可フラグ等のコンテンツ出力フラグが記載される。このコンテンツ出力フラグは、コンテンツのファイルやソースとなる媒体に著作権管理情報が含まれている場合には、この著作権管理情報に基づいて設定される。コンテンツのファイルやソースとなる媒体に著作権管理情報が含まれていない場合には、図４に示すようなコンテンツ出力フラグ設定画面５１が表示される。このコンテンツ出力フラグを設定することにより、ホームネットワーク上で家族と共有するコンテンツファイルの出力方法を管理することができる。
【００４６】
図４に示すように、コンテンツ出力フラグ設定画面５１には、印刷許可のチェックボタン５２ａ及び印刷不許可のチェックボタン５２ｂ、コピー許可のチェックボタン５３ａ及びコピー不許可のチェックボタン５３ｂ、オリジナル再生許可のチェックボタン５４ａ及びオリジナル再生不許可のチェックボタン５４ｂ、外部メディア出力許可のチェックボタン５５ａ及び外部メディア出力不許可のチェックボタン５５ｂが配設される。これらのチェックボタンをチェックして、決定ボタン５６をクリックすることで、コンテンツの出力許可が設定される。そして、このコンテンツ出力フラグ設定画面５１からの入力に基づいて、印刷可能フラグ、コピー許可フラグ、オリジナル再生許可フラグが設定される。
【００４７】
印刷、コピー、再生を行う場合には、図３に示した情報管理データベースのフラグが参照され、コンテンツ出力フラグから、印刷、コピー、再生が許可されているかどうかが判断される。そして、許可されている場合には、情報管理データベースに記載された保存アドレスにより、ファイルがアクセスされる。このとき、著作権の問題が生じないファイルについては、データ／リンク区分がデータとなっており、データ管理装置１の情報記憶部に保存されていたファイルが直接アクセスされる。著作権の問題が生じる可能性のあるファイルについては、データ／リンク区分がリンクになっており、そのリンク先のファイルがアクセスされる。
【００４８】
図５は、ファイル保存時の動作に基づく機能ブロック図を示すものである。図５において、端子１０１からマルチメディアのコンテンツデータファイルが入力される。ファイル情報抽出部１０２で、このデータファイルからファイルの属性情報が抽出される。そして、判定部１０３で、ファイルの属性情報に含まれている情報（例えばヘッダの著作権管理情報）から、このファイルが情報記憶部１０５に記録できるかどうかが判断される。
【００４９】
すなわち、例えばヘッダの著作権管理情報から、著作権の問題が生じないファイルであるかどうかが判断され、著作権の問題が生じないファイルであれば、情報記憶部１０５に記録できると判断され、著作権の問題が生じるファイルであれば、情報記憶部１０５に記録できないと判断される。
【００５０】
判定部１０３で、このファイルは情報記憶部１０５に記録できるファイルであると判断された場合には、スイッチ部１０４がオンになり、端子１０１からの入力ファイルデータが情報記憶部１０５に記録される。そして、情報管理データベース１０６のデータ／リンク区分が「データ」と記載され、保存アドレスとしてファイルを記録した情報記憶部１０５へのパスが記載される。
【００５１】
判定部１０３で、このファイルは情報記憶部１０５に記録できないファイルであると判断された場合には、スイッチ部１０４がオフになり、端子１０１からの入力ファイルデータは、情報記憶部１０５に記録されない。この場合には、情報管理データベース１０６のデータ／リンク区分が「リンク」と記載され、情報管理データベース１０６に、保存アドレスとしてファイルのあるリンク先が記載される。
【００５２】
また、フラグ形成部１０７で、印刷可能フラグ、コピー許可フラグ、オリジナル再生許可フラグ等のコンテンツ出力フラグが形成される。このコンテンツ出力フラグは、ファイルに著作権管理情報が含まれている場合には、その著作権管理情報に基づいて、設定される。著作権管理情報が含まれていない場合には、入力端子１０８からの入力情報（コンテンツ出力フラグ設定画面からの入力）に基づいて、コンテンツ出力フラグが形成される。このコンテンツ出力フラグが情報管理データベース１０６に記載される。
【００５３】
図６は、ファイル保存時の動作の他の例に基づく機能ブロック図である、図５の例では、ファイル情報抽出部１０２で、ファイルの属性情報に含まれている情報から、このファイルが情報記憶部１０５に記録できるかどうかを判断している。これに対して、この例では、ソースとなる媒体から、このファイルが情報記憶部１０５に記録できるかどうかを判断するようにしている。
【００５４】
図６において、図５と同一部分については、同一符号が付されている。この例では、ファイル情報抽出部１０２の代わりに、媒体情報抽出部１０９が設けられる。媒体情報抽出部１０９には、端子１１０から、コンテンツファイルのソースとなる媒体の情報が供給される。このソースとなる媒体から、このファイルが情報記憶部１０５に記録できるかどうかが判断される。例えば、ＤＶＤの場合には、メディアＩＤと呼ばれる識別情報が付されている。このメディアＩＤから、ソースとなる媒体の情報が判断できる。勿論、媒体情報をオペレーティングシステムから得るようにしても良い。
【００５５】
例えば、ソースとなる媒体がメモリカードなら、ディジタルカメラで撮影した画像ファイルである可能性が高いので、情報記憶部１０５に記録できると判断される。ソースとなる媒体がインターネット上や、ＤＶＤプレーヤなら、著作権の問題がある可能性が高いので、情報記憶部１０５に記録できないと判断される。
【００５６】
判定部１０３で、このファイルは情報記憶部１０５に記録できるファイルであると判断された場合には、スイッチ部１０４がオンになり、端子１０１からの入力ファイルデータが情報記憶部１０５に記録される。そして、情報管理データベース１０６のデータ／リンク区分が「データ」と記載され、保存アドレスとしてファイルを記録した情報記憶部１０５へのパスが記載される。
【００５７】
判定部１０３で、このファイルは情報記憶部１０５に記録できないファイルであると判断された場合には、スイッチ部１０４がオフになり、端子１０１からの入力ファイルデータは、情報記憶部１０５に記録されない。この場合には、情報管理データベース１０６のデータ／リンク区分が「リンク」と記載され、情報管理データベース１０６に、保存アドレスとしてファイルのあるリンク先が記載される。
【００５８】
また、フラグ形成部１０７で、印刷可能フラグ、コピー許可フラグ、オリジナル再生許可フラグ等のコンテンツ出力フラグが形成される。このコンテンツ出力フラグは、媒体情報に著作権管理情報が含まれている場合には、その著作権管理情報に基づいて、設定される。著作権管理情報が含まれていない場合には、入力端子１０８からの入力情報に基づいて、コンテンツ出力フラグが形成される。このコンテンツ出力フラグが情報管理データベース１０６に記載される。
【００５９】
図７は、ファイル出力時の動作に基づく機能ブロック図を示すものである。図７において、データ出力時には、端子１２１からファイルアクセス情報が送られる。このファイルアクセス情報に基づいて、情報管理データベース１０６がアクセスされる。フラグ検出部１２２で、コンテンツ出力フラグが検出され、このコンテンツ出力フラグから、そのファイルが出力可能かどうかが判断される。出力可能な場合には、スイッチ部１２３がオンされ、出力できない場合には、スイッチ部１２３がオフされる。
【００６０】
また、情報管理データベース１０６から、そのファイルのデータ／リンク区分が読み出され、判定部１２７で情報記録部１０５にデータが保存されているかどうかが判断される。そのファイルの区分が「データ」であれば、情報記録部１０５にデータが保存されていると判断され、スイッチ部１２４及び１２５が接点１２４ａ及び１２５ａ側に切り換えられる。そして、情報管理データベース１０６からそのファイルのパスが読み出され、このパスに基づいて情報記憶部１０５がアクセスされ、情報記憶部１０５からファイルデータが出力される。
【００６１】
そのファイルの区分が「リンク」であれば、情報記録部１０５にデータが保存されていないと判断され、スイッチ部１２４及び１２５が接点１２４ｂ及び１２５ｂ側に切り換えられる。そして、情報管理データベース１０６からそのファイルのリンク先が読み出され、このリンク先１２６がアクセスされ、リンク先１２６からファイルデータが出力される。
【００６２】
図８は、コンテンツファイルの読み込み処理の一例を示すフローチャートである。図８において、コンテンツファイル情報を取得したら（ステップＳ１）、そのコンテンツファイルが存在するかどうかを判断する（ステップＳ２）。そのコンテンツファイルが存在していなければ、コンテンツファイルの読み込み処理は終了となる。
【００６３】
ステップＳ２で、コンテンツファイルが存在すると判断した場合には、コンテンツファイルの種別を例えばファイルのヘッダの著作権管理情報から特定し（ステップＳ３）、コンテンツファイルは著作権管理されているかどうかを判断する（ステップＳ４）。
【００６４】
ステップＳ４で、コンテンツファイルが著作権管理されている場合には、外部のリンク先の保存アドレスを取得し（ステップＳ５）、コンテンツ出力フラグを生成し（ステップＳ６）、インデックスとコンテンツ出力フラグとコンテンツのリンク先のアドレスを情報管理データベースに記憶して（ステップＳ７）、ステップＳ１にリターンする。
【００６５】
ステップＳ４で、コンテンツファイルが著作権管理されていないと判断した場合には、コンテンツファイルとインデックスを取得し（ステップＳ８）、コンテンツファイルの保存先を決定し（ステップＳ９）、決定された保存先にコンテンツファイルを保存する（ステップＳ１０）。そして、コンテンツ出力フラグを生成し（ステップＳ６）、インデックスとコンテンツ出力フラグとコンテンツのアドレスを情報管理データベースに記憶して（ステップＳ７）、ステップＳ１にリターンする。
【００６６】
図９は、コンテンツファイルの読み込み処理の他の例を示すフローチャートである。図９において、コンテンツファイル情報を取得したら（ステップＳ１１）、そのコンテンツファイルが存在するかどうかを判断する（ステップＳ１２）。そのコンテンツファイルが存在していなければ、コンテンツファイルの読み込み処理は終了となる。
【００６７】
ステップＳ１２で、コンテンツファイルが存在すると判断した場合には、コンテンツのソース媒体を検出し（ステップＳ１３）、ソース媒体が著作権管理が不要な媒体であるかどうかを判断する（ステップＳ１４）。
【００６８】
ステップＳ１４で、ソース媒体は著作権管理が必要であると判断した場合には、外部のリンク先の保存アドレスを取得し（ステップＳ１５）、コンテンツ出力フラグを生成し（ステップＳ１６）、インデックスとコンテンツ出力フラグとコンテンツのアドレスを情報管理データベースに記憶して、ステップＳ１１にリターンする。
【００６９】
ステップＳ４で、ソース媒体は著作権管理が不要であると判断した場合には、コンテンツファイルとインデックスを取得し（ステップＳ１８）、コンテンツファイルの保存先を決定し（ステップＳ１９）、決定された保存先にコンテンツファイルを保存する（ステップＳ２０）。そして、コンテンツ出力フラグを生成し（ステップＳ１６）、インデックスとコンテンツ出力フラグとコンテンツのアドレスを情報管理データベースに記憶して、ステップＳ１１にリターンする。
【００７０】
図１０は、図８及び図９のステップＳ６及びＳ１６のコンテンツ出力フラグを生成処理を示すフローチャートである。
【００７１】
図１０において、コンテンツファイル又はソース媒体は、著作権管理情報を含むかどうかを判断する（ステップＳ２１）。著作権管理情報を含む場合には、この著作権管理に従ってコンテンツ出力フラグを設定して（ステップＳ２２）、コンテンツ出力フラグの生成処理を終了する。
【００７２】
ステップＳ２１で、著作権管理情報を含まない場合には、コンテンツ出力フラグ設定画面５１を表示し（ステップＳ２３）、このコンテンツ出力フラグ設定画面の設定に従ってフラグを設定して（ステップＳ２４）、コンテンツ出力フラグの生成処理を終了する。
【００７３】
図１１は、コンテンツの出力処理を示すフローチャートである。図１１において、出力するコンテンツが選択されたら（ステップＳ３１）、コンテンツ出力フラグを検出し（ステップＳ３２）、出力許可されているかどうかを判断する（ステップＳ３３）。出力許可されていなければ、出力許可されていないことを示す警告を表示して（ステップＳ３４）、コンテンツ出力処理を終了する。
【００７４】
ステップＳ３３で、コンテンツ出力許可されている場合には、コンテンツファイルが内部の情報記憶部に保存されているかどうかを判断する（ステップＳ３５）。コンテンツファイルが内部の情報記憶部に保存されているかどうかは、情報管理データベースのデータ／リンク区分から判断できる。コンテンツファイルが保存されている場合には、情報管理データベースの保存アドレスに基づいて、そのコンテンツを読み出し（ステップＳ３６）、そのコンテンツを出力して（ステップＳ３７）、コンテンツ出力処理を終了する。
【００７５】
ステップＳ３５で、コンテンツファイルが情報記憶部に保存されていない場合には、情報管理データベースに記憶されているコンテンツが存在するリンク情報を読み出す（ステップＳ３８）。そして、リンク先に、コンテンツ読み込み要求を送信する（ステップＳ３９）。指定したリンク先にコンテンツファイルが存在するかどうかを判断し（ステップＳ４０）、存在する場合には、そのコンテンツを読み出し（ステップＳ３６）、そのコンテンツを出力して（ステップＳ３７）、コンテンツ出力処理を終了する。指定したリンク先にコンテンツファイルが存在しない場合には、リンク先にコンテンツファイルがないことを示す警告を表示して（ステップＳ４１）、コンテンツ出力処理を終了する。
【００７６】
以上説明したように、本発明が適用された情報管理プログラムでは、ディジタルカメラ８で撮影した画像ファイルのように、著作権の問題が生じないファイルについては、そのファイル自体をデータ管理装置１に保存してファイルの管理を行い、インターネット６のウェブサーバ７や、ＤＶＤ等の光ディスクで提供されているコンテンツファイルのように、著作権の問題が生じる可能性のあるファイルについては、リンク情報だけを情報管理データベースに記載し、データ管理装置１の情報記憶部にファイル自体を保存しないようにしている。そして、著作権管理情報がある場合には、その著作権管理情報に基づいて、「印刷許可」、「コピー許可」、「オリジナル再生許可」等を示すコンテンツ出力フラグを設け、このコンテンツ出力するようにしている。これにより、著作権の保護が図れる。
【００７７】
本発明は、上述した実施形態に限定されるものではなく、本発明の要旨を逸脱しない範囲内で様々な変形や応用が可能である。
【００７８】
また、本発明は、パーソナルコンピュータに、情報管理用のプログラムをインストールして、ソフトウェアで構成している。ソースとなら情報管理プログラムは、フレキシブルディスク、光磁気ディスク、ＲＯＭ、ＣＤ−ＲＯＭ等の可搬媒体等のコンピュータ読み取り可能な記録媒体で提供される。また、ソースとなるプログラムは、コンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。また、ソースとなるプログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【００７９】
また、本発明は、このソフトウェアと同様の機能を有するハードウェアで構成するようにしても良い。また、このような画像管理機能を、ディジタルカメラに搭載させるようにしても良い。
【産業上の利用可能性】
【００８０】
本発明は、静止画、動画、音声等のマルチメディアファイルを管理する際に、著作権の保護を図るのに用いて好適である。
【図面の簡単な説明】
【００８１】
【図１】本発明が適用できるデータ管理システムの構成を示すブロック図である。
【図２】本発明が適用できるデータ管理システムにおけるデータ管理装置の一例の構成を示すブロック図である。
【図３】情報管理テーブルの説明図である。
【図４】コンテンツ出力フラグ設定画面の説明図である。
【図５】コンテンツデータの読み込み動作の一例に基づく機能ブロック図である。
【図６】コンテンツデータ読み込み動作の他の例に基づく機能ブロック図である。
【図７】コンテンツデータ出力の動作に基づく機能ブロック図である。
【図８】コンテンツデータの読み込みの一例の動作説明に用いるフローチャートである。
【図９】コンテンツデータ読み込みの他の例の動作説明に用いるフローチャートである。
【図１０】コンテンツ出力フラグの設定の説明に用いるフローチャートである。
【図１１】コンテンツデータ出力時の動作説明に用いるフローチャートである。
【符号の説明】
【００８２】
１  データ管理装置
２  ホームネットワーク
４  ホームサーバ
５  ゲートウェイ
６  インターネット
７  ウェブサーバ
８  ディジタルカメラ
９  プリンタ
１０２  ファイル情報抽出部
１０３  判定部
１０４  スイッチ部
１０５  情報記憶部
１０６  情報管理データベース
１０７  フラグ形成部
１０９  媒体情報抽出部
１２２  フラグ検出部
１２３  スイッチ部
１２４  スイッチ部
１２５  スイッチ部
１２６  リンク先
１２７  判定部
【図１】
2006079566.tif 000003
【図２】
2006079566.tif 000004
【図３】
2006079566.tif 000005
【図４】
2006079566.tif 000006
【図５】
2006079566.tif 000007
【図６】
2006079566.tif 000008
【図７】
2006079566.tif 000009
【図８】
2006079566.tif 000010
【図９】
2006079566.tif 000011
【図１０】
2006079566.tif 000012
【図１１】
2006079566.tif 000013